(57)【特許請求の範囲】
【請求項１】
Ｔシャツ型の身頃及び袖と、襦袢用の衿とを備えるＴシャツ型襦袢であって、前記衿は、複数の衿布地を重ね合せて縫製されており、前記衿の首後部域には衿布地を他の部位よりも多くの枚数を重ね合せて縫製して、前記衿の首後部域を他の部位よりも折り曲りにくくし、首後部域が衣紋を抜く形態につくられ、かつ前記衿は、上前と下前の衿先の先端のそれぞれの衿付を前身頃の左右方向の中心で接した状態で、上前の衿先の先端の衿山が下前の衿付に達するようにつくられて上前と下前のそれぞれの衿先の重ね合せ部を下部先端形状がＶ字形状になるように形成され、前記重ね合せ部の上前と下前とのそれぞれに、前記重ね合せ部を脱着可能にする面ファスナーを縫着しており、これにより地衿、衿芯及び半衿を一体化させた衿を備えることを特徴とするＴシャツ型襦袢。
【発明の詳細な説明】
【技術分野】
【０００１】  本発明は、後衿を後方に引き下げて美しく衣紋を抜くことができるＴシャツ型襦袢に関する。
【背景技術】
【０００２】  特許文献１には、身頃と、身頃に設けられた地衿とを有する襦袢型のシャツであって、前記身頃の上部には、着用者の首部が貫通する首開口部が形成されていて、前記首開口部の後方縁が、着物の衿に対応させた肩山よりも後側に位置しており、身頃に形成された地衿は、布が折り返されてなる二重構造となっており、前記二重構造を構成する上布体と下布体との間には、前記衿の長手方向に沿って伸びる空間が形成されていて、衿心が前記空間に挿入可能となっている襦袢型シャツが開示されている。【０００３】  特許文献２には、肌着の丸首Ｔシャツの前身頃の首部をＶ字型に深く衿割りを設けてこの衿割りに沿って和装用の肌襦袢の衿を逢着して衿元を和装用の肌襦袢に似せた和装用衿付きＴシャツの構造が開示されている。
【先行技術文献】
【特許文献】
【０００４】
【特許文献１】実用新案登録第３１９２３４５号公報
【特許文献２】実用新案登録第３１６８４８８号公報
【発明の概要】
【発明が解決しようとする課題】
【０００５】  特許文献１に記載の襦袢型シャツは、後衿を後方に引き下げる抜衣紋の着付けを実現させるには衿心を出し入れするという煩わしさがあった。衿心は首回りを一周することから、立った状態で硬さを要求される後衿の部位と、柔軟性を要求される肩山付近でカーブさせる部位と、横になった状態でしわにならない程度の硬さを要求される衿先の部位で要求される硬さが異なるため、後衿付近をあまり硬くすることができないという問題があった。また、洗濯をするときには衿心を抜き取り、着る前までには衿心を再挿入しなければならないという煩わしさがあった。【０００６】  特許文献２に記載の和装用衿付きＴシャツは、後衿から前方へ曲がることができるように衿の硬さを抑制するため、後衿の部位がしっかりと立ちにくく、見た目にきれいなカーブの衿がつくりあげにくいという問題があった。また、首部はＶ字型に衿刳りを設けこの衿刳りに沿って衿をＴシャツに逢着しているので、Ｔシャツの首回りの大きさが通常のＴシャツの首回りの大きさとほぼ同じで狭いため、髪結いの大きさや形によってはＴシャツを着る時や脱ぐときに髪が乱れるという問題があった。【０００７】  本発明はこうした問題に鑑み創案されたもので、首回りを広くした状態のＴシャツ感覚で容易に着ることができ、着た状態は衿が襦袢の衣紋が抜けた状態を維持できるＴシャツ型襦袢を提供することを課題とする。
【課題を解決するための手段】
【０００８】  請求項１に記載のＴシャツ型襦袢１は、Ｔシャツ型の身頃３及び袖４と、襦袢用の衿２とを備えるＴシャツ型襦袢１であって、前記衿２は、複数の衿布地９を重ね合せて縫製されており、前記衿２の首後部域２０には衿布地９を他の部位よりも多くの枚数を重ね合せて縫製して、前記衿２の首後部域２０を他の部位よりも折り曲りにくくし、首後部域２０が衣紋を抜く形態につくられ、かつ前記衿２は、上前３０と下前３１の衿先５の先端のそれぞれの衿付６を前身頃３の左右方向の中心で接した状態で、上前３０の衿先５の先端の衿山７が下前３１の衿付６に達するようにつくられて上前３０と下前３１のそれぞれの衿先５の重ね合せ部を下部先端形状がＶ字形状になるように形成され、前記重ね合せ部５０の上前３０と下前３１とのそれぞれに、前記重ね合せ部５０を脱着可能にする面ファスナー１１を縫着しており、これにより地衿、衿芯及び半衿を一体化させた衿を備えることを特徴とする。
【発明の効果】
【０００９】  請求項１に記載のＴシャツ型襦袢１は、肩山下の衿２をカーブしやすい衿２にしながら、首後部域２０の衿２を折れ曲がりにくくできたことにより、衣紋を抜いた状態を崩さないように維持できるという効果を奏する。【００１０】  前記衿２は、一般的な襦袢の衿を構成する地衿、衿心及び半衿を一体化させた衿であり、従来の出し入れしなければならない衿心が不要になり衿心を出し入れする煩わしさが解消した。【００１１】  衿は、綿やポリエステル等の布地からなることから、そのまま洗濯することができ、洗濯時に衿心を抜き出したり半衿を取り外したりする煩わしさが解消した。【００１２】  また、Ｔシャツ型襦袢１は、Ｔシャツ型襦袢１を着たり脱いだりするときにＴシャツ型襦袢１の首回りを、面ファスナー１１を開放させて首の開口部を大きくできるので、髪結いとの干渉の心配がなくなり髪結いの形が崩れにくいという効果を奏する。【００１３】  着用者の襦袢を着るときの好みやセンスで上前と下前の衿先の重ね合せ状態を変えたい場合に、上前と下前の衿先の位置関係を左右方向でずらして面ファスナーを接合することによって着用者の好みやセンスで変えることができる。
【図面の簡単な説明】
【００１４】
【図１】本発明のＴシャツ型襦袢の正面図である。
【図２】Ｔシャツ型襦袢の右側の衿先を拡げた形態を示す図である。
【図３】Ｔシャツ型襦袢の左右の衿先を拡げた形態を示す図である。
【図４】Ｔシャツ型襦袢の衿の重ね合せ状態を説明する図で、首後部域が五重の形態の場合を示す図である。
【図５】シャツ襦袢の衿の重ね合せ状態を説明する図で、首後部域が四重で衿先部分が二重の形態の場合を示す図である。
【図６】シャツ襦袢の衿の重ね合せ状態を説明する図で、首後部域が四重で衿先部分が三重の形態の場合を示す図である。
【図７】シャツ襦袢の衿の重ね合せ状態が五重の場合を示す断面図である。
【図８】シャツ襦袢の衿の重ね合せ状態が四重の場合を示す断面図である。
【図９】シャツ襦袢の衿の重ね合せ状態が四重の場合を示す断面図である。
【図１０】シャツ襦袢の衿の重ね合せ状態が二重の場合を示す断面図である。
【図１１】シャツ襦袢の衿の重ね合せ状態が三重の場合を示す断面図である。
【図１２】衿の形体を説明する説明図で、（ａ）が衿の地衿部分を展開した形態の説明図で、（ｂ）が首後部域に衿布地を縫製した状態を示す説明図で、（ｃ）が衿をＴシャツに縫製する前の状態を示す説明図である。
【発明を実施するための形態】
【００１５】  本発明のＴシャツ型襦袢１は、図１に示すように、Ｔシャツ型の身頃３及び袖４と、襦袢用の衿２とを備えるＴシャツ型襦袢１であって、前記衿２は、例えば図１２（ａ）や（ｂ）に示すような複数の衿布地９を、図４乃至図１２のいずれかに示すように重ね合せてそれぞれの衿布地９同士を接着させながら縫製されており、前記衿２の部位によって重ね合せる衿布地９の枚数、衿布地９の厚さ、及び／又は、衿布地９の材質を異ならせて、前記衿２の首後部域２０を他の部位よりも折り曲りにくくし、首後部域２０が衣紋を抜く形態につくられている。
【００１６】  また、図１乃至図３に示すように、上前３０と下前３１の衿先５の先端のそれぞれの衿付６を前身頃３の左右方向の中心で接した状態で、上前３０の衿先５の先端の衿山７が下前３１の衿付６に達するようにつくられて上前３０と下前３１のそれぞれの衿先５の重ね合せ部５０を形成し、前記重ね合せ部５０の上前３０と下前３１とのそれぞれに、前記重ね合せ部５０を接合又は開放によって脱着可能にする面ファスナー１１を縫着している。図１に上前３０と下前３１の両方を接合させた形態を示し、図２に上前３０のみを開放させた形態を示し、図３に上前３０と下前３１の両方を開放させた形態を示している。図１に示す面ファスナー１１の接合状態より図３に示す面ファスナー１１を開放させた状態の方が、首回りが大きくなることが示されている。
【００１７】  そして、前記衿２の巾は、図１２に示すように、肩山下の首の横付近２１の衿巾を肩山下の首の横付近２１の衿山７が首に直接に当接しない長さに衿巾を狭くし、前記衿先５の重ね合せ部５０の衿巾を着用時に衿２が見えるように広くしている。
【００１８】  本発明のＴシャツ型襦袢１は、Ｔシャツ型の身頃３及び袖４と、襦袢用の衿２とを備え、前記衿構成部分は面ファスナー１１の接合や開放により首回りの開口部の大きさを変えることができる。よって、面ファスナー１１の開放により首回りの開口部を大きくしたときは、Ｔシャツ感覚で頭髪との接触を気にせずに容易に脱着ができるＴシャツ型襦袢１である。
【００１９】  衿は一般的に、長襦袢の首回りに縫製された地衿、その地衿の中に入れられた衿心、地衿の表面に逢着される半衿から構成されている。本発明に使用する衿２は、図１２（ａ）や（ｂ）に示すように、展開された地衿１０（衿布地９ａ）の上に衿布地９ｂ、９ｃを重ね、図１２（ｃ）に示すように、長手方向で折り曲げた地衿１０（衿布地９ａ）に挟まれた、複数の衿心に相当する衿布地９ｂ、９ｃを接着させながら縫製してつくられた形態をしており、一般的な衿の構成要素の地衿、衿心及び半衿を一体化したものである。
【００２０】  前記衿布地９としては、洗濯が可能な綿、ポリエスタル、レーヨン、アセテート等がある。またそれぞれの衿布地９には薄手布地や厚手布地などの異なる厚みの布地がある。
【００２１】  図４乃至図６、及び図１２に示すように、前記衿布地９の重ね合せ状態を衿２の部位によって異なる状態にすることができるので、首後部域２０、肩山下のカーブ部２２、肩山下から首の横付近２１、及び、衿先５とに区分して衿２の構成について説明する。重ね合せ状態を衿２の部位によって異ならせることによって、例えば同じ厚さで同じ材質からなる衿布地９を使用した場合、図４乃至図６に示すように衿２の部位によって、衿布地９の枚数を多くした部位は相対的に硬さを高く、衿布地９の枚数を少なくした部位は相対的に硬さを低くすることができる。これにより、衿２の首後部域２０を最も硬くし、肩山下から首の横付近２１の硬さを低くすることができ、衿２の部位によって衿２の硬さを変え、折れ曲がりにくさを変えることができる。
【００２２】  まず、首後部域２０について説明する。首後部域２０は長手方向で約１５ｃｍの範囲になり、首後部域２０のみの範囲において、重ね合せる衿布地９の枚数を例えば地衿１０（衿布地９ａ）も含めて衿心に相当する衿布地９を数枚重ねて四重や五重等にして衿２を折れ曲がらないようにし、外観において衣紋を抜く形態に形成する。これにより、美しく衣紋を抜いた状態の着物姿を実現できる。
【００２３】  首後部域２０の衿２は、図４、図７、図１２（ｂ）に示すように、首後部域２０のみに衿布地９ｂを接着させながら縫製し衿布地９の重ね枚数を多くしている。この衿布地９ｂにより衿２の首後部域２０が衿２の他の部位よりも硬くなり、美しく衣紋を抜いた状態につくった形態を、Ｔシャツ型襦袢１を着用した状態でいつまでも実現できる。
【００２４】  次に、衿先５について説明する。図１乃至図３に示すように、衿先５は、上前３０と下前３１の衿先５の先端のそれぞれの衿付６を前身頃３の左右方向の中心で接した状態で、上前３０の衿先５の先端の衿山７が下前３１の衿付６に達するようにつくられて上前３０と下前３１のそれぞれの衿先５の重ね合せ部５０を形成している。そして、図２に示すように、前記重ね合せ部５０の上前３０と下前３１とのそれぞれに、前記重ね合せ部５０を脱着可能にする面ファスナー１１を縫着している。
【００２５】  これにより、図３に示すように、面ファスナー１１の接合状態を開放させることによって衿２の首回りを広げることができ、Ｔシャツ型襦袢１を着るときの頭髪の外観上の乱れを防ぐことができる。
【００２６】  また、衿先５の重ね合せ部５０において、上前３０と下前３１の衿先５の左右方向の位置関係を接近させたり離隔させた状態で、面ファスナー１１で固定させることができるので、着用者の好みやセンスによって衿先１１の合わせ方を変えることができる。
【００２７】  衿先５の衿布地９の重ね枚数は、図４、図５、図６、図８、図１０、図１１、図１２（ａ）、図１２（ｂ）に示すように、首後部域２０に比較して衿布地９の重ね枚数を少なくしている。図５や図１０に示すように地衿１０（衿布地９ａ）のみの形態、図６や図１１に示すように地衿１０（衿布地９ａ）に衿布地９ｅを１枚追加した形態、図４や図８のように地衿１０（衿布地９ａ）に衿布地９ｃを折り曲げて五重にした形態などがある。これにより、衿山７が首などの身体に当接したときに痛さを感じないようにしている。
【００２８】  また、図１２（ａ）乃至（ｃ）に示すように、衿先５の衿巾Ｈ１を衿２の他の部位よりも広くしている。これにより、図１に示すように衿先５を面ファスナー１１で接合させて着物を着用したときに、胸元に衿２を美しく見せることができる。
【００２９】  次に、衿の肩山下のカーブ部２２について説明する。このカーブ部２２は、容易に短手方向で曲がるように首後部域２０における衿布地９の重ね合せ枚数より少ない重ね合せ枚数にする。しかし、首後部域２０の衿２の衣紋が抜ける形態を支える硬さが必要であり、一方カーブさせるために硬さを低くする必要がある部位である。これらを考慮した衿２の折れ曲がりにくさを確保するように衿布地９の枚数等を設定する。
【００３０】  例えば、図４乃至図６に示すように、首後部域２０の重ね枚数から首後部域２０専用の衿布地９ｂを減じた枚数を設定する。これにより、首後部域２０の衿２の衣紋が抜ける形態を支えるとともに、カーブ可能な硬さを有するようにすることができる。
【００３１】  次に、肩山下から首の横付近２１ついて説明する。図１２（ａ）乃至（ｃ）に示すように、首の横付近２１の衿２の巾を、Ｔシャツ型襦袢１を着用時に着用者が首を左右に回しても衿山７が首の横に接触しにくい狭い巾Ｈ２とする。これにより、着用者は衿２が首の当たることによる痛さを感じにくくなる。
【００３２】  また、衿布地９の硬さについては、図５や図１０に示すように衿布地９ａ（地衿１０）のみの形態があり衿２の他の部位より最も衿布地９の重ね枚数を少なくしている。この衿２の硬さを減じることによっても着用者は衿２が首に当たることによる痛さを感じにくくなる。また、衿布地９の材質によっては柔らかすぎる場合もあるので、この場合は図４、図６、図８、図１１に示すように衿布地９の重ね枚数を三重や四重にする場合もある。
【符号の説明】
【００３３】１      Ｔシャツ型襦袢２      衿３      身頃４      袖５      衿先６      衿付７      衿山９      衿布地１０    地衿１１    面ファスナー２０    首後部域２１    首の横付近２２    カーブ部３０    上前３１    下前５０    重ね合せ部Ｈ１    巾Ｈ２    巾Ｌ      長手方向 
【要約】
【課題】首回りを広くした状態のＴシャツ感覚で容易に着ることができ、着た状態は衿が襦袢の衣紋が抜けた状態を維持できるＴシャツ型襦袢を提供することを課題とする。
【解決手段】Ｔシャツ型の身頃及び袖と、襦袢用の衿とを備えるＴシャツ型襦袢であって、前記衿は、複数の衿布地を重ね合せて縫製されており、前記衿の部位によって重ね合せる衿布地の枚数、衿布地の厚さ及び／又は衿布地の材質を異ならせて、前記衿の首後部域を他の部位よりも折り曲りにくくし、首後部域が衣紋を抜く形態につくられたＴシャツ型襦袢により課題解決できた。
【選択図】  図１【図１】
0006054561.tif 000002
【図２】
0006054561.tif 000003
【図３】
0006054561.tif 000004
【図４】
0006054561.tif 000005
【図５】
0006054561.tif 000006
【図６】
0006054561.tif 000007
【図７】
0006054561.tif 000008
【図８】
0006054561.tif 000009
【図９】
0006054561.tif 000010
【図１０】
0006054561.tif 000011
【図１１】
0006054561.tif 000012
【図１２】
0006054561.tif 000013